(57)【要約】      （修正有）【課題】組立時における音響部品の弾性保持部材の変形による音響性能低下を防ぎつつ、弾性保持部材の反発力による外装部材の浮きを防止した電子機器の提供。【解決手段】音口１０ａが形成された音響部品（マイクロホン）１０と、音響部品１０の周囲を覆うように取り付けられた弾性部材（マイクブッシュ）１１と、弾性部材１１を保持する保持部材１２と、音口１０ａと対向する開口部４ａが形成され、保持部材１２に取り付けられる第一の外装部材（背面カバー）４を有し、保持部材１２は、音響部品１０の両側に一対の摺動面を有し、前記摺動面の一端に摺動面から下がる傾斜面と、傾斜面と対面して第一の外装部材４の爪部と係合する爪受け部を有し、前記爪部は前記摺動部に押しつけられるように摺動し、その間弾性部材１１と第一の外装部材４は接触せず、前記爪部が前記傾斜面を降りることで前記爪受け部と係合し、かつ第一の外装部材４は弾性部材１１を押圧する。【選択図】図３（ｃ）
2016015660.tif 000002
【特許請求の範囲】
【請求項１】
音口（１０ａ）が形成された音響部品（１０）と、前記音響部品（１０）の周囲を覆うように取り付けられた弾性部材（１１）と、前記弾性部材（１１）を保持する保持部材（１２）と、前記音口（１０ａ）と対向する開口部（４ａ）が形成され、前記保持部材（１２）に取り付けられる第一の外装部材（４）を有し、前記保持部材（１２）は、前記音響部材（１０）の両側に一対の摺動面（１２ｂ２）を有し、前記摺動面（１２ｂ２）の一端に前記摺動面から下がる傾斜面（１２ｂ３）と、前記傾斜面（１２ｂ３）と対面して前記第一の外装部材（４）の爪部（４ｂ）と係合する爪受け部（１２ａ）を有し、前記第一の外装部材（４）の組込みの際、前記爪部（４ｂ）は前記摺動部（１２ｂ２）に押しつけられるように摺動し、その間前記弾性部材（１１）と前記第一の外装部材（４）は接触せず、前記爪部（４ｂ）が前記傾斜面（１２ｂ３）を降りることで前記爪受け部（１２ａ）と係合し、かつ、前記第一の外装部材（４）は前記弾性部材（１１）を押圧することを特徴とした電子機器。
【請求項２】
前記第一の外装部材（４）と隣り合う第二の外装部材（５）を有し、前記第一の外装部材（４）は、前記摺動部（１２ｂ２）の両側に前記第二の外装部材（５）と近接する一対の鍔部（４ｃ）と有し、前記爪部（４ｂ）が前記摺動部（１２ｂ２）を摺動する間、前記鍔部（４ｃ）は前記第二の外装部材（５）によって規制されていることを特徴とする請求項１に記載の電子機器。
【請求項３】
前記爪受け部（１２ａ）と前記爪部（４ｂ）の嵌合面（１２ａ１）は、前記傾斜面（１２ｂ３）と平行になっていることを特徴とする請求項１又は請求項２に記載の電子機器。
【請求項４】
組立完成状態においては、前記鍔部（４ｃ）と前記第二の外装部材（５）のとの隙間は、前記摺動面（１２ｂ２）の前記爪部（４ｂ）への押しつけ量（１２ｄ）より小さいことを特徴とする請求項１乃至請求項３の何れか一項に記載の電子機器。
【請求項５】
前記音響部品はマイクロホンであることを特徴とする請求項１乃至請求項４の何れか一項に記載の電子機器。
【請求項６】
前記音響部品はスピーカであることを特徴とする請求項１乃至請求項４の何れか一項に記載の電子機器。
【発明の詳細な説明】
【技術分野】
【０００１】
本発明は、例えばデジタルカメラ等の電子機器に関し、特に音響部品を備える電子機器に関するものである。
【背景技術】
【０００２】
デジタルカメラや携帯電話などの小型電子機器では、マイクロホンやスピーカといった音響部品は、音口が開口している弾性部材に覆われていることが多い。そして、弾性部材の開口部側を外装部材に押しつけて取り付けることにより、音口は密閉された状態で外装部材に設けられた穴より音の入力や出力をする。ここで音口とはマイクロホンであれば集音部のことであり、スピーカであれば発音部のことを示している。上記、構成によって、できる限り機器の外側に音響部品を配置することができるため、音の入出力の効率を良くしている。また、このような構成をとることで、マイクロホンの場合は、電子機器内部の駆動音を遮断することができるため、録音時に内部の不要な雑音が記録されることを防ぎ、スピーカの場合、バックキャビからの音波干渉を防ぐことで、音圧の低下を防ぐことができる。
【０００３】
近年、電子機器の低コスト化の為、部品点数の削減、組込み工数の削減、また電子機器本体の小型化が求められている。そのため、外装部材の内部空間は最小限にする必要があり、外装部材を光軸方向に組み立てていく際に光軸に対して垂直方向に動かしながら組み立てることが困難となっている。音響部品の配置によっては、音響部品を覆う弾性部材の開口方向に対して垂直な方向に外装部材を組み立てる必要があるが、その際、外装部材の先端と弾性部材が干渉し、弾性部材を意図しない状態に変形させしまうことで開口部の密閉性が損なわれ、電子機器内部の駆動音を録音してしまう等の問題が発生する可能性がある。
【０００４】
そこで、特許文献１では外装部材に凸部を設け、弾性部材を保持する保持部材の一部と外装部材の凸部とを摺動させることで、外装部材の組込みの途中に弾性部材との干渉を避けて弾性部材が意図しない変形をしないようにさせている。
【０００５】
また、弾性部材を適切な量で圧縮していないと、弾性部材によって覆われているマイクロホンを十分に固定できず、電子機器内部の駆動振動がマイクロホンに伝達し、録音時にノイズ音として集音されてしまう。しかし、外装部材には弾性部材の弾性反発力が常に働いているため、特に外装部材が樹脂部品であった場合に、経時変化や高温環境下で外装部材の浮きが発生してしまい、適切な圧縮量が保てず、上記のような問題が発生してしまう。その際、外装表面に段差ができ外観的に品位が劣るだけでなく、周囲に例えば可動式フラッシュ等の可動部品が有る場合、浮いた部分が可動域と干渉し動作不良が発生してしまう。特許文献１では外装部材の浮きを防止する構造をとることができず、このような問題に対し対処が困難であった。
【先行技術文献】
【特許文献】
【０００６】
【特許文献１】特開２０１３−１５３２６８号公報
【発明の概要】
【発明が解決しようとする課題】
【０００７】
組立時における音響部品の弾性保持部材の変形による音響性能低下を防ぎつつ、弾性保持部材の反発力による外装部材の浮きを防止した電子機器を提供する。
【課題を解決するための手段】
【０００８】
上記目的を達成するために、本発明は、音口（１０ａ）が形成された音響部品（１０）と、前記音響部品（１０）の周囲を覆うように取り付けられた弾性部材（１１）と、前記弾性部材（１１）を保持する保持部材（１２）と、前記音口（１０ａ）と対向する開口部（４ａ）が形成され、前記保持部材（１２）に取り付けられる第一の外装部材（４）を有し、前記保持部材（１２）は、前記音響部材（１０）の両側に一対の摺動面（１２ｂ２）を有し、前記摺動面（１２ｂ２）の一端に前記摺動面から下がる傾斜面（１２ｂ３）と、前記傾斜面（１２ｂ３）と対面して前記第一の外装部材（４）の爪部（４ｂ）と係合する爪受け部（１２ａ）を有し、前記爪部（４ｂ）は前記摺動部（１２ｂ２）に押しつけられるように摺動し、その間前記弾性部材（１１）と前記第一の外装部材（４）は接触せず、前記爪部（４ｂ）が前記傾斜面（１２ｂ３）を降りることで前記爪受け部（１２ａ）と係合し、かつ、前記第一の外装部材（４）は前記弾性部材（１１）を押圧するようにした。
【発明の効果】
【０００９】
本発明によれば、組立時における音響部品の弾性保持部材の変形による音響性能低下を防ぎつつ、弾性保持部材の反発力による外装部材の浮きを防止することができる。
【図面の簡単な説明】
【００１０】
【図１（ａ）】背面カバーの組立途中の図であって、爪部４ｂの縦断面図
【図１（ｂ）】背面カバーの組立途中の図であって、マイクロホン部の縦断面図
【図１（ｃ）】背面カバーの組立途中の図であって、マイクロホン部の横断面図
【図２】カメラ本体背面斜視図
【図３（ａ）】マイクロホン周辺部品の図であって、背面カバー４を外した状態のマイクロホン周辺図
【図３（ｂ）】マイクロホン周辺部品の図であって、背面カバー４の図
【図３（ｃ）】マイクロホン周辺部品の図であって、マイクロホン部のＡ−Ａ断面図
【図３（ｄ）】マイクロホン周辺部品の図であって、爪嵌合部のＢ−Ｂ断面図
【発明を実施するための形態】
【００１１】
以下に、本発明の好ましい実施の形態を、添付の図面に基づいて詳細に説明する。図１は、本発明の実施形態に関わる電子機器の図である。
【実施例１】
【００１２】
以下、図１〜４を参照して、本発明の実施例による電子機器について説明する。図２はカメラ本体背面斜視図である。１はカメラ本体であり、２は撮影画像を得る為のレンズ部で、３は操作されることによって撮影を開始するシャッターボタンである。４は内部構造物を保護する背面カバーで、４ａはマイク開口部である。５は背面カバー４と隣接する正面カバーである。６はフラッシュ発光部を保護するフラッシュカバーである。７は撮影に関する各種設定や画像表示内容の変更などを入力する為の操作部材、８は画像情報を表示させる為の画像表示部である。
【００１３】
図３は、マイクロホンの周辺構造図である。（ａ）は背面カバー４を外した状態のマイクロホン周辺図で、（ｂ）は背面カバー４の図で、（ｃ）はマイクロホン部のＡ−Ａ断面図で、（ｄ）は爪嵌合部のＢ−Ｂ断面図である。
【００１４】
１０は録画中の音声を集音するためのマイクロホンで、１０ａは音口で、外部の音を集音する部分である。マイクロホン１０にはリード線１０ｂが半田付けにより結線されており、集音された音から変換された電気信号がリード線１０ｂを伝わって不図示の制御基板へと伝達される。１１はマイクロホン１０を覆うマイクブッシュであり、開口部１１ａを有しており、その周囲にはリング状のリブ１１ｂを備えている。本実施例では、密閉性を向上させるためリブ１１ｂは２重に配置されている。
【００１５】
１２はマイクブッシュ１１を保持する保持部材であり、マイクブッシュ１１は凹部１２ｃ内に収納されている。４ｂは背面カバー４の爪部で、マイク開口部４ａの両側に配置されている（図３（ｂ）参照）。１２ａは保持部材１２の爪受け部であり、爪部４ｂの当接面４ｂ２は、対向する爪受け部１２ａの当接面１２ａ１と当接することで、マイクブッシュ１１の反発力による背面カバー４の浮きを押さえている（図３（ｄ）参照）。
【００１６】
図３（ｃ）で示すように、マイクブッシュ１１のリブ１１ｂと背面カバー４が重なる部分は、実際はリブ１１ｂが圧縮された状態で組まれており、背面カバー４とマイクブッシュ１１が密着することで、背面カバー４のマイク開口部４ａとマイクブッシュ１１の開口部１１ａによって、外部とマイクロホン１０の音口１０ａとを密閉した通路でつないでおり、効率良く集音すると同時に、カメラ内部の駆動音等の雑音が集音されないように遮断している。
【００１７】
１２ｂは保持部材１２の土手部であり、背面カバー４の組み付け軌道上爪部４ｂが干渉する位置に配置してある。こうすることで、背面カバー４の組み付け時に先端部４ｄがマイクブッシュ１１をひっかけて開口部１１ａを変形させて密閉性を妨げてしまうことのないよう、組込み軌道中はマイクブッシュ１１と背面カバー４の先端部４ｄが接触しないようにしている。これらの詳細な構造については図１を用いて次に述べる。
【００１８】
図１は背面カバーの組立途中の図であり、背面カバー４の爪部４ｂが保持部材１２の爪受け部１２ａに嵌合する前で、爪部４ｂが土手部１２ｂに乗っている状態を示している。（ａ）は爪部４ｂの縦断面図で、図３（ａ）でのＢ−Ｂ断面を示している。（ｂ）はマイクロホン部の縦断面図で、図３（ａ）のＡ−Ａ断面を示している。（ｃ）はマイクロホン部の横断面図で、図３（ａ）のＣ−Ｃ断面を示している。
【００１９】
矢印Ｄは背面カバー４の組込み方向を示している。背面カバー４は画像表示部８など内部構造部を覆っており、部品点数削減の為、底面を含めた各面を覆っているため、矢印Ｄの方向に直線的に組む必要がある。点線４ｂ１ａは、仮に土手部１２ｂが無かったときの爪部４ｂの底面４ｂ１の軌道を示している。実際には、爪部４ｂは土手部１２ｂの斜面１２ｂ１に沿って持ち上げられ、その後上面部１２ｂ２上を摺動する。干渉量１２ｄは、土手部１２ｂが爪部４ｂを持ち上げている量で、土手部１２ｂの上面部１２ｂ２と点線４ｂ１ａとの距離で示される。
【００２０】
図１（ｂ）で示すように、爪部４ｂが土手部１２ｂに乗っているとき、背面カバー４とマイクブッシュ１１は離間している。背面カバー４の先端部４ｅがマイクブッシュ１１を通過したこの状態から、斜面１２ｂ３に沿って爪部４ｂが降りていき、爪受け部１２ａと爪部４ｂが嵌合し、図３の状態となる。背面カバー４が十分に降りた状態から水平に移動すると背面カバー４とマイクブッシュ１１の摩擦によりマイクブッシュ１１の変形を促すことになるため、なるべくマイクブッシュ１１から離間している範囲を広くするために爪受け部１２ａの当接面１２ａ１と土手部１２ｂの傾斜面１２ｂ３とは略平行であることが望ましい。
【００２１】
マイクロホン１０との密閉性の向上と、マイクロホン１０自体の固定を行うためにマイクブッシュ１１の圧縮量はある程度必要となり、また、マイクブッシュ１１を保持部材１２の凹部１２ｃに収める際の組立てバラツキで若干浮く可能性を考慮すると、マイクブッシュ１１の箇所については背面カバー４はなるべく多く持ち上げられる構造であることが望ましい。
【００２２】
ただし、干渉量１２ｄを増やすと、斜面１２ｂ３の傾斜角を立てることになり、背面カバー４の浮きを防止するという爪部４ｂの本来の機能を果たせなくなる懸念がある。
【００２３】
そこで、図１（ｃ）で示すように、鍔部４ｃの当接面４ｃ１が背面カバー４と隣接する正面カバー５に当接することで支点となり、矢印Ｅで示すような変形を発生させ（点線４ｆ１は変形前、実線４ｆ２は変形後で、背面カバー４の変形方向を表している）、マイクブッシュ１１周辺部において、爪部４ｂと土手部１２ｂの干渉量１２ｄ以上に背面カバー４を持ち上げることが可能になる。
なお、本実施例では、音響部品をマイクロホン１０としてマイクブッシュ１１を変形せずに背面カバー４を組み立てる説明をしたが、マイクロホン１０に限らず、スピーカの共振防止等に設けられているクッションを変形させないために適用しても良い。
【００２４】
以上、本発明の好ましい実施例について説明したが、本発明はこれらの実施例に限定されず、その要旨の範囲内で種々の変形および変更が可能である。
【符号の説明】
【００２５】
１  カメラ本体、２  レンズ部、３  シャッターボタン、４  背面カバー、４ｂ  爪部、
５  正面カバー、６  フラッシュカバー、７  操作部材、８  画像表示部、
１０  マイクロホン、１１  マイクブッシュ、１２  保持部材、１２ａ  爪受け部、
１２ｂ  土手部
【図１（ａ）】
2016015660.tif 000003
【図１（ｂ）】
2016015660.tif 000004
【図１（ｃ）】
2016015660.tif 000005
【図２】
2016015660.tif 000006
【図３（ａ）】
2016015660.tif 000007
【図３（ｂ）】
2016015660.tif 000008
【図３（ｃ）】
2016015660.tif 000009
【図３（ｄ）】
2016015660.tif 000010